(57)【要約】【課題】電源となる電池の温度環境を整えて、効率的な投影動作を行なわせる。【解決手段】電池30と、ＬＥＤ18〜20と、画像信号を入力する画像入力部11と、ＬＥＤ18〜20からの光を用い、入力部11で入力した画像信号に基づいた光像を形成して投影する投影系12〜17と、ＬＥＤ18〜20を冷却する冷却ファンCF及びファンモータFMと、ＬＥＤ18〜20を冷却して得られる熱を装置外部に排出するか、または電池30を加熱させる隔壁PW及びアクチュエータATと、電池30の温度を検出する温度センサ30ａと、温度センサ30ａでの検出結果に応じて隔壁PW及びアクチュエータATを切換えるＣＰＵ25とを備える。【選択図】図１
2012063632.tif 000002
【特許請求の範囲】
【請求項１】
電池と、
光源と、
画像信号を入力する入力手段と、
上記光源からの光を用い、上記入力手段で入力した画像信号に基づいた光像を形成して投影する投影手段と、
上記光源を冷却する冷却手段と、
上記冷却手段により光源を冷却して得られる熱を装置外部に排出する排出手段と、
上記冷却手段により光源を冷却して得られる熱で上記電池を加熱する加熱手段と、
上記電池の温度を検出する温度検出手段と、
上記温度検出手段での検出結果に応じて、上記排出手段及び加熱手段のいずれか一方が有効となるように切換える制御手段と
を具備したことを特徴とする投影装置。
【請求項２】
上記冷却手段は、装置外部から取り入れた空気を上記光源に導く第１のファンを有し、
上記排出手段は、上記第１のファンで光源を冷却して得られる熱風を装置外部に排出する排出口及び導風壁部を有し、
上記加熱手段は、上記導風壁部の少なくとも一部の取付け角度を可変し、上記第１のファンで光源を冷却して得られる熱風の少なくとも一部を上記電池に導き、
上記制御手段は、上記導風壁部の少なくとも一部の取付け角度を切換える
ことを特徴とする請求項１記載の投影装置。
【請求項３】
上記冷却手段は、装置外部から取り入れた空気を上記光源に導く第１のファンを有し、
上記排出手段は、上記第１のファンで光源を冷却して得られる熱風を装置外部に排出する第２のファンを有し、
上記加熱手段は、上記第１のファンで光源を冷却して得られる熱風を上記電池に導く第３のファンを有し、
上記制御手段は、上記第２及び第３のファンのいずれかの運転状態を切換える
ことを特徴とする請求項１記載の投影装置。
【請求項４】
上記冷却手段は、上記光源に形成した第１の冷却水路を流れる冷却水により吸熱し、
上記排出手段は、上記光源で吸熱した冷却水を冷却する、上記第１の冷却水路と接続された第２の冷却水路を有し、
上記加熱手段は、上記電池に形成し、上記第１の冷却水路と接続された第３の冷却水路を有し、
上記制御手段は、上記第１の冷却水路と上記第２及び第３の冷却水路のいずれかとの接続状態を切換える
ことを特徴とする請求項１記載の投影装置。
【請求項５】
電池、光源、画像信号を入力する入力部、上記光源からの光を用い、上記入力部で入力した画像信号に基づいた光像を形成して投影する投影部、上記光源を冷却する冷却部、上記冷却部により光源を冷却して得られる熱を装置外部に排出する排出部、及び、上記冷却手段により光源を冷却して得られる熱で上記電池を加熱する加熱部を備えた装置での投影電源制御方法であって、
上記電池の温度を検出する温度検出工程と、
上記温度検出工程での検出結果に応じて、上記排出部及び加熱部のいずれか一方が有効となるように切換える制御工程と
を有したことを特徴とする投影電源制御方法。
【請求項６】
電池、光源、画像信号を入力する入力部、上記光源からの光を用い、上記入力部で入力した画像信号に基づいた光像を形成して投影する投影部、上記光源を冷却する冷却部、上記冷却部により光源を冷却して得られる熱を装置外部に排出する排出部、及び、上記冷却手段により光源を冷却して得られる熱で上記電池を加熱する加熱部を備えた装置が内蔵するコンピュータが実行するプログラムであって、
上記コンピュータを、
上記電池の温度を検出する温度検出手段、及び
上記温度検出手段での検出結果に応じて、上記排出部及び加熱部のいずれか一方が有効となるように切換える制御手段
として機能させることを特徴とするプログラム。
【発明の詳細な説明】
【技術分野】
【０００１】
本発明は、電池駆動のデータプロジェクタ等に好適な投影装置、投影電源制御方法及びプログラムに関する。
【背景技術】
【０００２】
バッテリ動作可能なプロジェクタにおいて、プロジェクタによる映写が不適切な場合に消費電力を低減することを目的とした技術が考えられている。（例えば、特許文献１）
この特許文献では、外部環境の変化を検知する認識部によって映写が不適切であると判断された場合に自動的に電源を切断する。
【先行技術文献】
【特許文献】
【０００３】
【特許文献１】特開２００７−０５７８０２号公報
【発明の概要】
【発明が解決しようとする課題】
【０００４】
上記特許文献に記載された技術を含め、容量に制限のあるバッテリを電源としたプロジェクタでは、無駄な電力消費を避けてより効率的な運転を行ない、連続して投影可能な時間を長くすることが考えられている。
【０００５】
ところでその電源となる電池は、例えば２次電池であればリチウムイオン電池とニッケル水素電池とで充放電特性はそれぞれ異なるが、いずれも内部物質の化学変化により電力を供給するものである。そのため、極度の低温下あるいは逆に極度の高温下では効率的な運転ができないという不具合がある。
【０００６】
本発明は上記のような実情に鑑みてなされたもので、その目的とするところは、電源となる電池の温度環境を整えて、効率的な投影動作を行なわせることが可能な投影装置、投影電源制御方法及びプログラムを提供することにある。
【課題を解決するための手段】
【０００７】
請求項１記載の発明は、電池と、光源と、画像信号を入力する入力手段と、上記光源からの光を用い、上記入力手段で入力した画像信号に基づいた光像を形成して投影する投影手段と、上記光源を冷却する冷却手段と、上記冷却手段により光源を冷却して得られる熱を装置外部に排出する排出手段と、上記冷却手段により光源を冷却して得られる熱で上記電池を加熱する加熱手段と、上記電池の温度を検出する温度検出手段と、上記温度検出手段での検出結果に応じて、上記排出手段及び加熱手段のいずれか一方が有効となるように切換える制御手段とを具備したことを特徴とする。
【０００８】
請求項２記載の発明は、上記のように請求項１記載の発明において、上記冷却手段は、装置外部から取り入れた空気を上記光源に導く第１のファンを有し、上記排出手段は、上記第１のファンで光源を冷却して得られる熱風を装置外部に排出する排出口及び導風壁部を有し、上記加熱手段は、上記導風壁部の少なくとも一部の取付け角度を可変し、上記第１のファンで光源を冷却して得られる熱風の少なくとも一部を上記電池に導き、上記制御手段は、上記導風壁部の少なくとも一部の取付け角度を切換えることを特徴とする。
【０００９】
請求項３記載の発明は、上記請求項１記載の発明において、上記冷却手段は、装置外部から取り入れた空気を上記光源に導く第１のファンを有し、上記排出手段は、上記第１のファンで光源を冷却して得られる熱風を装置外部に排出する第２のファンを有し、上記加熱手段は、上記第１のファンで光源を冷却して得られる熱風を上記電池に導く第３のファンを有し、上記制御手段は、上記第２及び第３のファンのいずれかの運転状態を切換えることを特徴とする。
【００１０】
請求項４記載の発明は、上記請求項１記載の発明において、上記冷却手段は、上記光源に形成した第１の冷却水路を流れる冷却水により吸熱し、上記排出手段は、上記光源で吸熱した冷却水を冷却する、上記第１の冷却水路と接続された第２の冷却水路を有し、上記加熱手段は、上記電池に形成し、上記第１の冷却水路と接続された第３の冷却水路を有し、上記制御手段は、上記第１の冷却水路と上記第２及び第３の冷却水路のいずれかとの接続状態を切換えることを特徴とする。
【００１１】
請求項５記載の発明は、電池、光源、画像信号を入力する入力部、上記光源からの光を用い、上記入力部で入力した画像信号に基づいた光像を形成して投影する投影部、上記光源を冷却する冷却部、上記冷却部により光源を冷却して得られる熱を装置外部に排出する排出部、及び、上記冷却手段により光源を冷却して得られる熱で上記電池を加熱する加熱部を備えた装置での投影電源制御方法であって、上記電池の温度を検出する温度検出工程と、上記温度検出工程での検出結果に応じて、上記排出部及び加熱部のいずれか一方が有効となるように切換える制御工程とを有したことを特徴とする。
【００１２】
請求項６記載の発明は、電池、光源、画像信号を入力する入力部、上記光源からの光を用い、上記入力部で入力した画像信号に基づいた光像を形成して投影する投影部、上記光源を冷却する冷却部、上記冷却部により光源を冷却して得られる熱を装置外部に排出する排出部、及び、上記冷却手段により光源を冷却して得られる熱で上記電池を加熱する加熱部を備えた装置が内蔵するコンピュータが実行するプログラムであって、上記コンピュータを、上記電池の温度を検出する温度検出手段、及び上記温度検出手段での検出結果に応じて、上記排出部及び加熱部のいずれか一方が有効となるように切換える制御手段として機能させることを特徴とする。
【発明の効果】
【００１３】
本発明によれば、電源となる電池の温度環境を整えて、効率的な投影動作を行なわせることが可能となる。
【図面の簡単な説明】
【００１４】
【図１】本発明の一実施形態に係るデータプロジェクタ装置の機能回路構成を示すブロック図。
【図２】同実施形態に係る投影運転時の排気制御の処理内容を示すフローチャート。
【図３】同実施形態に係るアクチュエータのオン／オフに応じた隔壁ＰＷの取付け角度を例示する模式図。
【図４】同実施形態に係る他の構成例としての排気制御を例示する模式図。
【発明を実施するための形態】
【００１５】
以下本発明を電池駆動によるＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の一実施形態について図面を参照して説明する。
【００１６】
図１は、本実施形態に係るデータプロジェクタ装置１０の機能回路の概略構成を示すブロック図である。  
このデータプロジェクタ装置１０は画像入力部１１を備える。
【００１７】
この画像入力部１１は、Ｄ−ｓｕｂ１５タイプのＲＧＢ入力端子、ピンジャック（ＲＣＡ）タイプのビデオ入力端子を有し、入力されるアナログのＲ，Ｇ，Ｂ信号またはコンポジットビデオ信号をデジタル化する。
【００１８】
画像入力部１１で入力され、デジタル化された画像データは、システムバスＳＢを介して投影画像処理部１２に送られる。
【００１９】
投影画像処理部１２は、一般にスケーラとも称され、入力される画像データを投影に適した所定のフォーマットの画像データに統一して投影画像駆動部１３へ送る。
【００２０】
この際、ＯＳＤ（Ｏｎ  Ｓｃｒｅｅｎ  Ｄｉｓｐｌａｙ）用の各種動作状態を示すシンボル等のデータも必要に応じて投影画像処理部１２により画像データに重畳加工され、加工後の画像データが投影画像駆動部１３へ送られる。
【００２１】
投影画像駆動部１３は、送られてきた画像信号に応じて、所定のフォーマットに従ったフレームレート、例えば６０［フレーム／秒］と色成分の分割数、及び表示階調数を乗算した、より高速な時分割駆動により、空間的光変調素子であるマイクロミラー素子１４を表示駆動する。
【００２２】
このマイクロミラー素子１４は、アレイ状に配列された複数、例えばＷＸＧＡ（Ｗｉｄｅ  ｅＸｔｅｎｄｅｄ  Ｇｒａｐｈｉｃ  Ａｒｒａｙ）（横１２８０画素×縦８００画素）分の微小ミラーの各傾斜角度を個々に高速でオン／オフ動作して表示動作することで、その反射光により光像を形成する。
【００２３】
一方で、光源部１５から時分割でＲ，Ｇ，Ｂの原色光が循環的に出射される。この光源部１５からの原色光が、ミラー１６で全反射して上記マイクロミラー素子１４に照射される。
【００２４】
そして、マイクロミラー素子１４での反射光で光像が形成され、形成された光像が投影レンズ部１７を介して、投影対象となる図示しないスクリーンに投影表示される。
【００２５】
光源部１５は、赤色（Ｒ）光を発する発光ダイオード（以下「Ｒ−ＬＥＤ」と称する）１８、緑色（Ｇ）光を発する発光ダイオード（以下「Ｇ−ＬＥＤ」と称する）１９、及び
青色（Ｂ）光を発する発光ダイオード（以下「Ｂ−ＬＥＤ」と称する）２０を有する。
【００２６】
Ｒ−ＬＥＤ１８の発する赤色光は、ダイクロイックミラー２１を透過した後、上記ミラー１６へ送られる。
【００２７】
Ｇ−ＬＥＤ１９の発する緑色光は、ダイクロイックミラー２２で反射された後、上記ダイクロイックミラー２１でも反射されて上記ミラー１６へ送られる。
【００２８】
Ｂ−ＬＥＤ２０の発する青色光は、ミラー２３で反射された後に上記ダイクロイックミラー２２を透過し、その後に上記ダイクロイックミラー２１で反射されて上記ミラー１６へ送られる。  
上記ダイクロイックミラー２１は、赤色光を透過する一方で、緑色光及び青色光を反射する。上記ダイクロイックミラー２２は、緑色光を反射する一方で、青色光を透過する。
【００２９】
上記光源部１５にはさらに、冷却ファンＣＦ、ファンモータ（Ｍ）ＦＭ、隔壁ＰＷ、及びアクチュエータ（Ａ）ＡＴが設けられる。  
冷却ファンＣＦは、ファンモータＦＭの駆動により冷却風を発生し、光源部１５の発熱源である上記ＬＥＤ１８〜２０を冷却する。  
隔壁ＰＷは、上記ＬＥＤ１８〜２０に対して冷却風の下流側に位置し、上記ＬＥＤ１８〜２０により加熱された冷却風の流路を規制するもので、アクチュエータＡＴの駆動により取付け角度が択一的に可変し、必要により上記加熱された冷却風を後述する２次電池３０に導く。
【００３０】
光源部１５の各ＬＥＤ１８〜２０の発光タイミングや駆動信号の波形、ファンモータＦＭの回転、及びアクチュエータＡＴによる隔壁ＰＷの取付け角度等を光源駆動部２４が統括して制御する。
【００３１】
この光源駆動部２４は、投影画像駆動部１３から与えられる画像データのタイミングと後述するＣＰＵ２５の制御に応じて上記ＬＥＤ１８〜２０の発光動作を制御する。
【００３２】
上記各回路の動作すべてをＣＰＵ２５が制御する。このＣＰＵ２５は、メインメモリ２６及びプログラムメモリ２７と直接接続される。メインメモリ２６は、ＤＲＡＭで構成され、ＣＰＵ２５のワークメモリとして機能する。プログラムメモリ２７は、電気的書換可能な不揮発性メモリで構成され、ＣＰＵ２５が実行する動作プログラムや後述する２次電池の温度管理のためのしきい値等、各種定型データ等を記憶する。
【００３３】
ＣＰＵ２５は、上記プログラムメモリ２７に記憶されている動作プログラムデータ等を読出してメインメモリ２６に展開して記憶させた上で、当該プログラムを実行することにより、このデータプロジェクタ装置１０を統括して制御する。
【００３４】
上記ＣＰＵ２５は、操作／表示部２８からのキー操作信号に応じて各種投影動作を実行する。  
この操作／表示部２８は、データプロジェクタ装置１０の本体に設けられるキー操作部及びインジケータ部と、このデータプロジェクタ装置１０専用の図示しないリモートコントローラからの赤外光を受光するレーザ受光部とを含む。操作／表示部２８は、ユーザが本体のキー操作部またはリモートコントローラで操作したキーに基づくキー操作信号をＣＰＵ２５へ出力する。
【００３５】
本体のキー操作部またはリモートコントローラには、具体的には、電源キー、入力切換キー、フォーカス・アップ／ダウン・キー、ズーム・アップ／ダウン・キー、メニューキー、カーソル（「↑」「↓」「←」「→」）キー、セットキー、キャンセルキー等が備えられる。
【００３６】
上記ＣＰＵ２５はさらに、上記システムバスＳＢを介して音声処理部２９、及び２次電池３０と接続される。  
音声処理部２９は、ＰＣＭ音源等の音源回路を備え、投影動作時に与えられる音声データをアナログ化し、スピーカ部３１を駆動して拡声放音させ、あるいは必要によりビープ音等を発生させる。
【００３７】
２次電池３０は、例えばリチウムイオン電池で構成される。この２次電池３０が本装置１０の電源であり、上記各回路部に電力を供給する。２次電池３０内には、温度センサ（ＴＨ）３０ａ、及びコントローラ（ＣＮＴ）３０ｂを備える。
【００３８】
温度センサ３０ａは、この２次電池３０の温度を検知してコントローラ３０ｂへ出力する。コントローラ３０ｂは、２次電池３０の充放電を管理する一方で、上記温度センサ３０ａが検知した温度データをＣＰＵ２５へ送出する。
【００３９】
次に上記実施形態の動作について説明する。  
なお、上述した如く、マイクロミラー素子１４で表示するための画像を投影画像処理部１２が作成し、作成した画像を投影画像駆動部１３がマイクロミラー素子１４で表示し、マイクロミラー素子１４での表示に合わせてＬＥＤ１８〜２０を光源駆動部２４が発光駆動する。
【００４０】
これら投影画像処理部１２、投影画像駆動部１３、及び光源駆動部２４は、いずれもＣＰＵ２５の制御の下に動作する。ＣＰＵ２５は、以下に示す２次電池３０の温度制御のための処理も含め、プログラムメモリ２７に記憶されている動作プログラムや固定データ等を読出してメインメモリ２６に展開した上で制御処理を実行する。
【００４１】
図２は、電源投入直後から実行する、投影動作時の主として２次電池３０の温度制御に関する処理内容を抽出して示す。
【００４２】
その処理当初にＣＰＵ２９は、画像入力部１１より入力される画像信号に応じたマイクロミラー素子１４での表示動作、及び光源部１５での発光に伴う投影レンズ部１７での投影を実行させる（ステップＳ１０１）。
【００４３】
ここでＣＰＵ２５は、上記２次電池３０の温度センサ３０ａが検知した２次電池３０の温度データＴbattをコントローラ３０ｂを介して取得する（ステップＳ１０２）。
【００４４】
次いで、取得した温度データＴbattを、予めプログラムメモリ２７に記憶される、２次電池３０の適正温度範囲の下限値Ｔth１と比較し、温度データＴbattが下限値Ｔth１未満であるか否かを判断する（ステップＳ１０３）。
【００４５】
２次電池３０の適正温度範囲が例えば２５°Ｃ〜４０°Ｃであれば、上記下限値Ｔth１には２５°Ｃに該当する内容が設定される。
【００４６】
上記ステップＳ１０３で温度データＴbattが下限値Ｔth１未満であると判断した場合、次にその時点で上記アクチュエータＡＴがオフとなっているか否かを判断する（ステップＳ１０４）。
【００４７】
図３（Ａ）は、アクチュエータＡＴがオフとなっている状態の隔壁ＰＷの取付け角度を例示する模式図である。この状態では、冷却ファンＣＦの回転により吸気口ＩＨよりデータプロジェクタ装置１０内に流入した冷却風Ｗ１が、上記ＬＥＤ１８〜２０で構成される光源で熱交換する。ここで光源１８〜２０側は冷却、冷却風は加熱され、加熱された冷却風Ｗ２は隔壁ＰＷに沿って排気口ＥＨ１よりデータプロジェクタ装置１０外部に排出される。このとき隔壁ＰＷは、加熱された冷却風Ｗ２が排気口ＥＨ１より排出されるのを導くと共に、２次電池３０側に入り込むのを防ぐような取付け角度となっている。
【００４８】
上記ステップＳ１０４でアクチュエータＡＴがオフとなり、上記図３（Ａ）で示したような隔壁ＰＷの角度であると判断した場合には、あらためてアクチュエータＡＴをオンとしてから（ステップＳ１０５）、上記ステップＳ１０１からの処理に戻る。
【００４９】
図３（Ｂ）は、アクチュエータＡＴをオンとした状態の隔壁ＰＷの取付け角度を例示する模式図である。この状態では、光源１８〜２０で加熱された冷却風Ｗ２の少なくとも一部が隔壁ＰＷに沿って２次電池３０側に導かれている。
【００５０】
そのため、今度は加熱された冷却風Ｗ２が２次電池３０と熱交換し、２次電池３０側は加熱、冷却風は冷却され、冷却された冷却風Ｗ３が排気口ＥＨ２よりデータプロジェクタ装置１０外部に排出される。
【００５１】
したがって、光源１８〜２０による排熱の一部を２次電池３０に供給して加熱することとなり、それまで無駄に排出していた熱エネルギーを有効に活用して２次電池３０を加熱することができる。
【００５２】
なお、上記ステップＳ１０３で温度データＴbattが下限値Ｔth１以上であると判断した場合には、次に温度データＴbattが、予めプログラムメモリ２７に記憶される、２次電池３０の適正温度範囲の上限値Ｔth２と比較し、温度データＴbattが上限値Ｔth２より高いか否かを判断する（ステップＳ１０６）。
【００５３】
上述したように２次電池３０の適正温度範囲が例えば２５°Ｃ〜４０°Ｃであれば、上記下限値Ｔth２には４０°Ｃに該当する内容が設定される。
【００５４】
ここで温度データＴbattが上限値Ｔth２以下であると判断した場合には、２次電池３０が適正温度範囲内にあり、何ら問題ないものとしてそのまま上記ステップＳ１０１からの処理に戻る。
【００５５】
また、上記ステップＳ１０３で、温度データＴbattが上限値Ｔth２より高いと判断した場合には、２次電池３０が適正温度範囲を超えていることとなり、冷却が必要であるので、次にその時点で上記アクチュエータＡＴがオンとなっているか否かを判断する（ステップＳ１０７）。
【００５６】
ここで上記図３（Ｂ）に示した如くアクチュエータＡＴがオンとなっており、さらに光源１８〜２０での排熱の一部が２次電池３０に供給されて加熱自余が続いていると判断した場合には、あらためてアクチュエータＡＴをオフとしてから（ステップＳ１０８）、上記ステップＳ１０１からの処理に戻る。
【００５７】
こうしてアクチュエータＡＴをオフとし、上記図３（Ａ）で示した如く隔壁ＰＷにより加熱された冷却風Ｗ２の２次電池３０側への流入を阻止することにより、２次電池３０に対してその外部から加熱する要因が排除されるため、２次電池３０は徐々に放熱して温度が低下するものとなる。
【００５８】
また、上記ステップＳ１０７で既にアクチュエータＡＴがオフされていると判断した場合には、既に上記ステップＳ１０８での処理を行なったものとして、そのまま上記ステップＳ１０１からの処理に戻る。
【００５９】
以上詳述した如く本実施形態によれば、光源１８〜２０で発する熱を有効に活用して２次電池３０に供給するものとしたため、電源となる電池の温度環境を整えて、効率的な投影動作を行なわせることが可能となる。
【００６０】
加えて上記実施形態では、アクチュエータＡＴの駆動により取付け角度が切換えられる隔壁ＰＷにより冷却風の流路を可変設定するものとしたため、非常に簡素な構成で実現できる。
【００６１】
また、上記実施形態の他の構成例として、アクチュエータＡＴに駆動される隔壁ＰＷにより冷却風の流路を切換えるのではなく、２つの排気用ファンを選択的に切り替えることにより冷却風の流路を切換えるものとしても良い。
【００６２】
図４は、そのような他の構成例としての構成を示す模式図である。上記実施形態で説明したアクチュエータＡＴ及び隔壁ＰＷは排除するものとし、代わって図４（Ａ）に示すように、排気口ＥＨ１に対して排気用冷却ファンＣＦ１が設けられると共に、排気口ＥＨ２に対しても排気用冷却ファンＣＦ２を設ける。
【００６３】
図４（Ａ）は、吸気口ＩＨ側の冷却ファンＣＦと、排気口ＥＨ１側の冷却ファンＣＦ１を駆動し、排気口ＥＨ２側の冷却ファンＣＦ２は停止させた状態を示す。
【００６４】
このように排気口ＥＨ１側の冷却ファンＣＦ１を択一的に駆動することにより、光源１８〜２０で加熱された冷却風Ｗ２はそのまま排気口ＥＨ１よりデータプロジェクタ装置１０外部に排出される。
【００６５】
これに対して図４（Ｂ）は、吸気口ＩＨ側の冷却ファンＣＦと、排気口ＥＨ２側の冷却ファンＣＦ２を駆動し、排気口ＥＨ１側の冷却ファンＣＦ１は停止させた状態を示す。
【００６６】
このように排気口ＥＨ２側の冷却ファンＣＦ２を択一的に駆動することにより、光源１８〜２０で加熱された冷却風Ｗ２は２次電池３０に導かれる。
【００６７】
そのため、加熱された冷却風Ｗ２が２次電池３０と熱交換し、２次電池３０側は加熱、冷却風は冷却され、冷却された冷却風Ｗ３が排気口ＥＨ２よりデータプロジェクタ装置１０外部に排出される。
【００６８】
このように複数の排気口それぞれに排気用の冷却ファンを設け、それらを択一的に回転駆動させることにより、特に隔壁ＰＷのような流路を規制する壁面部材を用いることなく、２次電池３０への冷却風の供給／非供給を制御できる。
【００６９】
加えて、実際のデータプロジェクタ装置では排気口側にも冷却ファンを設ける構成が一般的であると思われるので、アクチュエータＡＴや隔壁ＰＷのような可動構造を設けることなく、簡易な制御により２次電池３０の温度管理を行なうことが可能となる。
【００７０】
なお、上記図３で示した構成と図４で示した構成とを組合せ、冷却風の流路を規制するアクチュエータＡＴ及び隔壁ＰＷと、複数の排気用冷却ファンＣＦ１，ＣＦ２とを併設することによって、２次電池３０の温度変動に対する、よりきめ細かい制御が可能となる。
【００７１】
また、上記実施形態はいずれも空冷方式での例を示したが、光源部での発熱量が大きく、その熱変動を吸収するために水冷方式を採用する場合、すなわち、光源部に対してウォータジャケットを設けた冷却水の循環回路を設ける場合には、併せてその循環回路内に２次電池３０に設けたウォータジャケットも加えることも考えられる。
【００７２】
この場合、光源部のウォータジャケットを通過して加熱された冷却水の下流側に、２次電池３０に設けたウォータジャケットを設け、且つこの２次電池３０のウォータジャケットをバイパスするバイパス路を設けると共に、それらの下流側に放熱部（ラジエータ）を配置する。
【００７３】
２次電池３０を加熱する必要がある場合には２次電池３０のウォータジャケットに冷却水を通過させ、それ以外の場合では２次電池３０のウォータジャケットではなく、そのバイパス路に冷却水を通過させるように切換えることで、発熱量の大きい光源を使用する場合であっても、確実にその排熱を利用して光源の熱変動を抑えると共に、２次電池３０の温度管理が実現可能となる。
【００７４】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００７５】
１０…データプロジェクタ装置、１１…画像入力部、１２…投影画像処理部、１３…投影画像駆動部、１４…マイクロミラー素子、１５…光源部、１６…ミラー、１７…投影レンズ部、１８…Ｒ−ＬＥＤ、１９…Ｇ−ＬＥＤ、２０…Ｂ−ＬＥＤ、２１，２２…ダイクロイックミラー、２３…ミラー、２４…光源駆動部、２５…ＣＰＵ、２６…メインメモリ、２７…プログラムメモリ、２８…操作／表示部、２９…音声処理部、３０…２次電池、３０ａ…温度センサ、３０ｂ…コントローラ、３１…スピーカ部、ＡＴ…アクチュエータ、ＣＦ…冷却ファン、ＦＭ…ファンモータ、ＰＷ…隔壁、ＳＢ…システムバス、Ｗ１〜Ｗ３…冷却風。
【図１】
2012063632.tif 000003
【図２】
2012063632.tif 000004
【図３】
2012063632.tif 000005
【図４】
2012063632.tif 000006